(57)【要約】【課題】便器装置において、外側に露出される給水管の部分を少なくし、かつ便器装置と後方壁面との間隔が大きい場合でもすっきりとした外観が得られるようにする。【解決手段】便器装置１の外殻部１３は、側面カバー１３ａと背面カバー１３ｂとを備え、側面カバー１３１と背面カバー１３ｂとの双方に隣接する部分空間を給水管収容空間１７としており、給水管２を接続する管接続部１５ａが給水管収容空間１７の適所に配置されている。【選択図】図１
2018016993.tif 000002
【特許請求の範囲】
【請求項１】
給水管によって水道水を給水される便器装置において、
便器装置の外殻部は、側面カバーと背面カバーとを備え、この側面カバーと背面カバーとの双方に隣接する部分空間を給水管収容空間としており、
前記給水管を接続する管接続部が前記給水管収容空間の適所に配置されていることを特徴とする便器装置。
【請求項２】
前記給水管は、前記側面カバー又は背面カバーに形成された管導入口、又は前記外殻部の底面開口から前記給水管収容空間に導入され、
前記管接続部は、前記給水管収容空間での給水管の引き回しに応じて管接続方向が選択可能に構成されていることを特徴とする請求項１に記載の便器装置。
【請求項３】
前記管接続部は、管接続方向が調節可能な可動式の管接続口を備えていることを特徴とする請求項２に記載の便器装置。
【請求項４】
前記管接続部は、管接続方向が互いに異なりかつ選択的に使用される複数の管接続口を備えていることを特徴とする請求項２に記載の便器装置。
【請求項５】
前記側面カバー又は背面カバーは、着脱自在な蓋部材を備えた複数の管導入口が形成されていることを特徴とする請求項１乃至４のいずれか一項に記載の便器装置。
【請求項６】
前記側面カバー又は背面カバーは、前記管導入口になるべき切抜き容易部が形成されていることを特徴とする請求項１乃至４のいずれか一項に記載の便器装置。
【発明の詳細な説明】
【技術分野】
【０００１】
本発明は、給水管によって水道水を給水される便器装置に関する。
【背景技術】
【０００２】
前記のような便器装置は、給水口が便器装置の側面又は背面に露出しており、給水管全体が便器装置の外側で引き回されることになるので便器設置空間の見た目を悪くし、また給水管の引き回しが清掃作業の邪魔になっていた。この問題に関連する従来技術の例として、次の特許文献には便器装置の給水ホース及び電源コードを便器装置の側面に形成した凹部を通じて背面側に導いたあとその凹部にカバーを被せるようにした構成が記載されている。
【先行技術文献】
【特許文献】
【０００３】
【特許文献１】特開２００８−２４０４３７号公報
【発明の概要】
【発明が解決しようとする課題】
【０００４】
前記特許文献に記載されている構成では、給水管のかなりの部分が凹部内に隠され、便器装置の外側で引き回される給水管の部分は少なくなるので、便器設置空間の見た目は相当改善されると考えられる。しかしながら便器装置と後方壁面との間隔が大きい場合は便器装置の背面にある凹部が見えるため、便器設置の外観がすっきりとしたものにならない。
【０００５】
これに対して本発明は、便器装置の外側に露出される給水管の部分を少なくし、かつ便器装置と後方壁面との間隔が大きい場合でもすっきりとした外観が得られる便器装置を提供することを目的としている。
【課題を解決するための手段】
【０００６】
本発明は、給水管によって水道水を給水される便器装置において、便器装置の外殻部は、側面カバーと背面カバーとを備え、この側面カバーと背面カバーとの双方に隣接する部分空間を給水管収容空間としており、前記給水管を接続する管接続部が前記給水管収容空間の適所に配置されていることを特徴とする。
【発明の効果】
【０００７】
本発明では、便器装置の外殻部の内側の部分空間を給水管収容空間としており、その給水管収容空間に給水管の余剰部分を収容することができるので、便器装置の外側で引き回される給水管の部分が少なくなる。また給水管収容空間は側面カバーと背面カバーとによって隠されているので、便器装置は後方壁面との間隔が大きい場合でもすっきりとした外観が得られる。
【図面の簡単な説明】
【０００８】
【図１】実施形態とされる便器装置の分解斜視図である。
【図２】（ａ）、（ｂ）は給水管がそれぞれ側方、後方から導入された状態の便器装置の部分透視図である。
【図３】複数の管導入口が形成された背面カバー及び側面上カバーの斜視図である。
【図４】（ａ）、（ｂ）は、実施形態の他例とされる便器装置の側面図である。これらの図面で便器装置自体は同一のものであるが、管接続部の状態が異なっている。
【図５】（ａ）〜（ｃ）はそれぞれ左側面カバー、背面カバー、右側面カバーの平面図である。
【図６】（ａ）、（ｂ）は、実施形態の更に他例とされる便器装置の側面図である。これらの図面で便器装置自体は同一のものであるが、管接続部の状態が異なっている。
【図７】実施形態の更に他例とされる便器装置の側面図である。
【発明を実施するための形態】
【０００９】
図１は、実施形態とされる便器装置を斜め前方から見た分解斜視図である。また図２（ａ）、（ｂ）は給水管がそれぞれ側方、後方から導入された状態の便器装置を斜め後方から見たときの部分透視図である。
【００１０】
便器装置１は、便器設置空間の壁面又は床面に設けられた止水栓（図示なし）から給水管２によって水道水を直接給水される水道管直結タイプである。便器装置１の給排水、局部洗浄等の機能は従来と同様なので説明を省略する。なお便器装置１は水道管直結タイプに限られず、タンクタイプであってもよい。
【００１１】
便器装置１は、大小便を受けるボウル部１０と、中央部に開口を有する便座１１と、非使用時にボウル部１０及び便座１１を隠す弁蓋１２と、ボウル部１０を囲う外殻部１３とからなる。
【００１２】
ボウル部１０は、樹脂、セラミック、ホウロウ等からなる。便座１１及び便蓋１２は樹脂等からなり、これらの後端部は外殻部１３に回動可能に取り付けられている。便座１１には保温用ヒーターが内蔵されている。
【００１３】
外殻部１３は樹脂等からなる外壁、鉄骨材等で構成され、その内側にはボウル部１０の支持構造（図示なし）、トラップ機構１４、給水制御機構１５、局部洗浄機構（図示なし）、脱臭機構（図示なし）、回路基板（図示なし）、洗浄剤タンク１６等が収容されている。局部洗浄機構、脱臭機構は従来と同様に構成されている。回路基板はマイコン等を備えており、これらの各機構を制御する。
【００１４】
外殻部１３は施工やメンテナンス等を容易にするため、着脱自在な側面カバー１３ａ、背面カバー１３ｂ、上面カバー１３ｃ等を備えている。これらのカバー１３ａ…１３ｃはいずれも固定爪１４又は面ファスナーによって外殻部１３に固定される。背面カバー１３ｂには側面上カバー１３ｄが固定されている。側面上カバー１３ｄは背面カバー１３ｂから簡単に分離できる。側面上カバー１３ｄは側面カバー１３ａの構成要素である。
【００１５】
トラップ機構１４は、先端部が電動によって上下移動される可動管を気密容器に収容してなる電動式トラップであり、ボウル部１０の排水口に連結されている。
【００１６】
給水制御機構１５は電磁弁等の制御によって、給水口すなわち管接続部１５ａに供給された水道水を洗浄水としてボウル部１０に吐出させるように構成されている。また給水制御機構１５は、洗浄剤タンク１６に溜められている洗浄剤を洗浄水と共に吐出させてボウル部１０を洗浄することも可能である。
【００１７】
外殻部１３の内側において、側面カバー１３ａと背面カバー１３ｂとの双方に面する空間部分は給水管収容空間１７とされている。管接続部１５ａは給水管収容空間１７の適所に配置されている。
【００１８】
管接続部１５ａは、給水制御機構１５の給水口であって、給水管収容空間１７での給水管２の引き回しに応じて管接続方向が選択可能に構成されている。この例では、管接続部１５ａは、管接続方向が調節可能な可動式の管接続口１５ｂを備えており、管接続方向を自由に調節できる（管接続部の具体的な構成例は後述する）。例えば、図２（ａ）では管接続口１５ｂは横方向に調節されており、図２（ｂ）では管接続口１５ｂは下方向に調節されている。このような給水管収容空間１７が設けられ、更に管接続部１５ａは給水管２の引き回しに応じて管接続方向が選択可能であれば、給水管２が給水管収容空間１７の内側で座屈するという問題も生じ難い。
【００１９】
給水管２は、樹脂又は金属のフレキシブルホース等からなる。給水管２は側面カバー１３ａ又は背面カバー１３ｂに形成された管導入口１３ｆ、又は外殻部１３の底面開口１３ｅから給水管収容空間１７に導入されて、管接続部１５ａに接続される。
【００２０】
このように本実施形態では、便器装置１の外殻部１３の内側の部分空間を給水管収容空間１７としており、この給水管収容空間１７に給水管２の余剰部分を収容することができるので、便器装置１の外側で引き回される給水管２の部分が少なくなる。また給水管収容空間１７は側面カバー１３ａと背面カバー１３ｂとによって隠されているので、便器装置１は後方壁面との間隔が大きい場合でもすっきりとした外観が得られる。
【００２１】
なお便器装置１はリモコン式の操作部（図示なし）を備えている。しかしながらリモコン式の操作部が電池切れとなったとき等でも最小限の指令操作ができるようにサブスイッチ１８が設けられている。
また給電線１９が上面カバー１３ｃの後部から導出されている。給電線１９は上面カバー１３ｃの内側に収容されている回路基板に繋がっている。
【００２２】
図３は、複数の管導入口が形成された背面カバー及び側面上カバーを斜め後方から見た斜視図である。側面上カバーは側面カバーの構成要素である。
【００２３】
背面カバー１３ｂの管導入口１３ｆは、給水管２を便器装置１の後方から導入するためのものであって、背面カバー１３ｂの右側辺部に半楕円形状の切欠きとして形成されている。一方、側面上カバー１３ｄの管導入口１３ｆは、給水管２を便器装置１の側方から導入するためのものであって、側面上カバー１３ｄの下辺部に半楕円形状の切欠きとして形成されている。管導入口１３ｆは縁に沿って溝部１３ｇが形成されている。
【００２４】
背面カバー１３ｂの管導入口１３ｆ、側面上カバー１３ｄの管導入口１３ｆにはそれぞれ着脱自在な蓋部材１３ｈが用意されている。蓋部材１３ｈは、それぞれの管導入口１３ｆの形状に合致する小板材であって、その縁には、管導入口１３ｆの溝部１３ｇに対応させて突条１３ｉが形成されている。突条１３ｉを管導入口１３ｆの溝部１３ｇに嵌め込んだ状態として蓋部材１３ｈをスライドさせることで蓋部材１３ｈの着脱が行える。このような管導入口１３ｆを複数設けておけば、便器設置空間のレイアウト（止水栓の配置等）に適合する管導入口１３ｆを容易に選択できる。
【００２５】
なおこの例では、背面カバー１３ｂ、側面上カバー１３ｄにそれぞれ１つの管導入口１３ｆが形成されているが、管導入口１３ｆの場所、その数に特段の制限はない。管導入口１３ｆの一部は、側面カバー１３ａに形成されていてもよい。全ての管導入口１３ｆは同一形状であってもよいし、それぞれ個別の形状であってもよい。
【００２６】
また管導入口１３ｆは、設置作業時に、側面カバー１３ａ又は背面カバー１３ｂの所望の場所をカッターで切抜く、ドリルで穴開けする等して形成してもよい。このような作業が容易に行えるように、側面カバー１３ａ又は背面カバー１３ｂの適所に、管導入口１３ｆになるべき切抜き容易部１３ｊが予め形成されていてもよい。例えば切抜き容易部１３ｊは、管導入口１３ｆの形状に合わせて肉薄部を設けることで形成してもよい。このような切抜き容易部１３ｊを複数設けておけば、便器設置空間のレイアウトに適合する管導入口１３ｆを容易に形成できる。
【００２７】
図４（ａ）、（ｂ）は、実施形態の他例とされる便器装置の側面図である。いずれの図面でも側面カバー１３ａは外された状態としている。またこれらの図面で便器装置自体は同一のものであるが、管接続部１５ａの方向が異なっている。また図５はこの便器装置の側面カバー１３ａ及び背面カバーの平面図である。
【００２８】
この例では、管接続部１５ａは、管接続方向が調節可能な可動式の管接続口１５ｂを供えている。具体的には、管接続口１５ｂは、中間部が９０度曲げられた樹脂又は金属の管体からなり、管体の管接続部１５ａとの接続部分が水平軸（一点鎖線）周りに回転自在になっている。この管接続口１５ｂを回転させることで、管接続方向を図４（ａ）、（ｂ）に示すように横方向と下方向の間で自由に調節できる。なお管接続口１５ｂは給水管２との接続をクイックファスナーによって行うようにすれば、給水管２の接続作業が容易になる。
【００２９】
図５は便器装置から外された側面カバー及び背面カバーの平面図である。右側面カバー１３ａ、背面カバー１３ｂにはそれぞれ給水管２を側方から導入するための管導入口１３ｆ、後方から導入するための管導入口１３ｆが形成されている。
【００３０】
図６（ａ）、（ｂ）は、実施形態の更に他例とされる便器装置の側面図である。いずれの図面でも側面カバー１３ａは外された状態としている。またこれらの図面で便器装置自体は同一のものであるが、管接続部１５ａの方向が異なっている。
【００３１】
この例では、管接続口１５ｂは、中間部が９０度曲げられた樹脂又は金属の管体からなり、管体の管接続部１５ａとの接続部分が垂直軸（一点鎖線）周りに回転自在になっている。この管接続口１５ｂを回転させることで、管接続方向を図６（ａ）、（ｂ）に示すように横方向と後方向の間で自由に調節できる。
なお側面カバー１３ａ、背面カバー１３ｂは、図５に示したものが使用できる。
【００３２】
図７は、実施形態の更に他例とされる便器装置の側面図である。
この例では、管接続部１５ａは、管接続方向が互いに異なりかつ選択的に使用される複数の管接続口１５ｂを備えている。２つの管接続口１５ｂはいずれも中間部が９０度曲げられた樹脂又は金属の管体からなり、その一方は、管接続方向が側方向となるように管接続部１５ａに固定され、他方は管接続方向が後方となるように管接続部１５ａに固定されている。使用しない方の管接続口１５ｂは栓をする等して塞げばよい。あるいは管接続口１５ｂの双方に逆止弁を内蔵して、使用しない方の管接続口１５ｂからの水漏れを防止してもよい。
【符号の説明】
【００３３】
１            便器装置
１３          外殻部
１３ａ        側面カバー
１３ｂ        背面カバー
１３ｄ        側面上カバー
１３ｅ        底面開口
１３ｆ        管導入口
１３ｈ        蓋部材
１３ｊ        切抜き容易部
１５ａ        管接続部
１５ｂ        管接続口
１７          給水管収容空間
２            給水管
【図１】
2018016993.tif 000003
【図２】
2018016993.tif 000004
【図３】
2018016993.tif 000005
【図４】
2018016993.tif 000006
【図５】
2018016993.tif 000007
【図６】
2018016993.tif 000008
【図７】
2018016993.tif 000009